(57)【要約】【課題】様々な厚さの媒体に対応し、皺がよりやすい媒体に対して皺を取り除ける媒体保持装置を提供することであり、またそれを備える記録装置を提供することである。【解決手段】セットトレイ４にセットされた媒体Ｐを該セットトレイ４に保持するための枠体１２であって、前記媒体Ｐをセットした前記セットトレイ４の外側に嵌めることが可能な基枠１３と、前記基枠１３に設けられ、該基枠１３の内外方向Ｃに移動可能な可動部材１４と、を備える媒体保持装置である。【選択図】図４
2014000778.tif 000002
【特許請求の範囲】
【請求項１】
セットトレイにセットされた媒体を該セットトレイに保持するための枠体であって、
前記媒体をセットした前記セットトレイの外側に嵌めることが可能な基枠と、
前記基枠に設けられ、該基枠の内外方向に移動可能な可動部材と、を備えることを特徴とする枠体。
【請求項２】
請求項１に記載の枠体において、前記可動部材を前記基枠の内側方向に付勢する付勢部材を備えることを特徴とする枠体。
【請求項３】
請求項１又は２に記載の枠体において、前記可動部材は少なくとも前記基枠の対向する位置に設けられていることを特徴とする枠体。
【請求項４】
請求項３に記載の枠体において、前記セットトレイ及び前記基枠は四角形であり、前記可動部材は少なくとも前記基枠の対向する二辺に設けられていることを特徴とする枠体。
【請求項５】
請求項２に記載の枠体において、
前記媒体をセットした前記セットトレイに前記基枠を嵌める際、前記可動部材に前記セットトレイから前記基枠の外側方向へ力が加わるように、前記基枠を嵌める際における前記可動部材の前記媒体との接触面は前記セット面に対して傾斜していることを特徴とする枠体。
【請求項６】
請求項４に記載の枠体において、前記可動部材は前記基枠の四辺に設けられていることを特徴とする枠体。
【請求項７】
請求項１から６のいずれか１項に記載の枠体において、前記可動部材の移動の際に使用可能な、つまみを備えることを特徴とする枠体。
【請求項８】
媒体をセットするセットトレイと、
請求項１から７のいずれか１項に記載の枠体と、を備えることを特徴とする媒体保持装置。
【請求項９】
請求項８に記載の媒体保持装置と、
前記媒体に記録を行う記録部と、を備えることを特徴とする記録装置。
【発明の詳細な説明】
【技術分野】
【０００１】
本発明は、媒体を保持するための枠体、媒体保持装置及び記録装置に関する。
【背景技術】
【０００２】
従来から、様々な媒体保持装置が使用されている。このような媒体保持装置のうち、媒体をセットするためのセットトレイと、該セットトレイにセットされた媒体を保持するために該セットトレイの外側に嵌める枠体と、を備える媒体保持装置が使用されている。また、このような媒体保持装置に保持される媒体として、例えば、布帛が使用されている。布帛には様々な素材や厚さのものがあり、また、記録紙等の他の媒体よりも皺がよりやすいという特徴がある。
【０００３】
例えば、特許文献１には、媒体として布帛を使用可能な媒体保持装置としてのプラテン装置が開示されている。該プラテン装置は、媒体を挿入して載置可能なプラテンを有する。また、該プラテン装置は、プラテンに挿入されて載置された媒体を挟み込むことが可能な外枠を有し、この外枠で挟み込むことにより媒体に張力を付与することが可能である。
【先行技術文献】
【特許文献】
【０００４】
【特許文献１】特開２００３−３１２０６９号公報
【発明の概要】
【発明が解決しようとする課題】
【０００５】
特許文献１に開示されているプラテン装置は、プラテンに挿入されて載置された媒体を外枠で挟み込むことにより媒体に張力を付与する構成である。このため、所定の厚さの媒体に対しては張力を付与し皺を抑制することができる。しかしながら、所定の厚さを超える厚さの媒体に対しては外枠で挟み込めない場合があった。また、所定の厚さに満たない厚さの媒体に対しては外枠で挟み込んだ際に所望の張力を付与することができない場合があった。
【０００６】
そこで、本発明の目的は、様々な厚さの媒体に対応し、皺がよりやすい媒体に対して皺を取り除けるようにすることである。
【課題を解決するための手段】
【０００７】
上記課題を解決するための本発明の第１の態様に係る枠体は、セットトレイにセットされた媒体を該セットトレイに保持するための枠体であって、前記媒体をセットした前記セットトレイの外側に嵌めることが可能な基枠と、前記基枠に設けられ、該基枠の内外方向に移動可能な可動部材と、を備えることを特徴とする。
【０００８】
本態様によれば、ユーザーは、媒体がセットされたセットトレイに基枠を嵌め、該媒体の皺を取り除いた後に可動部材を基枠の内側に移動させて該媒体をセットトレイに押し付けることができる。すなわち、皺を除いた状態で当該媒体をセットトレイとその周囲に位置する当該可動部材で挟持することができる。これにより媒体を、皺を除いた状態でセットトレイに保持することができる。
【０００９】
また、本態様の枠体は、可動部材が基枠の内外方向に移動可能である。このため、セットトレイに基枠を嵌める際は可動部材を基枠の外側方向に移動させておき、セットトレイに媒体を保持する際に可動部材を基枠の内側方向に移動させることが可能である。したがって、本態様の枠体は、セットトレイに対して比較的大きな基枠を使用することができるため、厚い媒体を使用することができる。すなわち、本態様の枠体は様々な厚さの媒体に対応することができる。
【００１０】
本発明の第２の態様に係る枠体は、前記第１の態様において、前記可動部材を前記基枠の内側方向に付勢する付勢部材を備えることを特徴とする。
【００１１】
本態様によれば、前記可動部材は基枠の内側方向に付勢される。このため、セットトレイにセットされた媒体をセットトレイに強固に保持することが可能となり、セットトレイに保持した後の媒体における皺の発生が効果的に抑制される。
【００１２】
本発明の第３の態様に係る枠体は、前記第１又は２の態様において、前記可動部材は少なくとも前記基枠の対向する位置に設けられていることを特徴とする。
【００１３】
ここで、「基枠の対向する位置」とは、基枠における向かい合う位置を意味する。しかし、厳密に向かい合う位置には限定されない。例えば、対向する辺を有する基枠における対向する二辺に前記可動部材が設けられていれば、厳密に向かい合う位置からずれていても本発明に含まれる。  
また、「基枠の対向する位置」に在る一対の可動部材は、その移動方向が正反対のものに限定されず、多少傾いていてもよい。
【００１４】
本態様によれば、少なくとも前記基枠の対向する位置から媒体をセットトレイに押し付けて保持することができる。このため、セットトレイにセットされた媒体をセットトレイに対向する位置から保持することが可能となり、セットトレイに保持した後の媒体における皺の発生が効果的に抑制される。
【００１５】
本発明の第４の態様に係る枠体は、前記第３の態様において、前記セットトレイ及び前記基枠は四角形であり、前記可動部材は少なくとも前記基枠の対向する二辺に設けられていることを特徴とする。
【００１６】
本態様によれば、四角形のセットトレイであることで媒体をセットしやすい。また、四角形の基枠における対向する二辺から媒体をセットトレイに押し付けて保持することができる。このため、セットトレイにセットされた媒体をセットトレイに対向する二辺から保持することが可能となり、セットトレイに保持した後の媒体における皺の発生が効果的に抑制される。ここで、「四角形」は、矩形や正方形であるものが好ましいが、これらに限定されない。
【００１７】
本発明の第５の態様に係る枠体は、前記第２の態様において、前記媒体をセットした前記セットトレイに前記基枠を嵌める際、前記可動部材に前記セットトレイから前記基枠の外側方向へ力が加わるように、前記基枠を嵌める際における前記可動部材の前記媒体との接触面は前記セット面に対して傾斜していることを特徴とする。
【００１８】
本態様によれば、媒体をセットしたセットトレイに前記基枠を嵌める動作に同期して前記可動部材に基枠の外側方向へ力が加わる。外側方向へ力が加わった可動部材は外側方向へ移動するので、セットトレイにセットされた媒体に皺が取り除かれる方向に張力が作用する。そして、前記基枠を嵌める動作の終了に伴い可動部材は基枠の内側方向へ付勢されるので、セットトレイにセットされた媒体はセットトレイに保持される。すなわち、ユーザーは、媒体をセットしたセットトレイに基枠を嵌める動作により、容易に皺を取り除くことができ、さらに、該動作後の媒体における皺の発生を抑制できる。
【００１９】
本発明の第６の態様に係る枠体は、前記第４の態様において、前記可動部材は前記基枠の四辺に設けられていることを特徴とする。
【００２０】
本態様によれば、矩形の基枠における四辺から媒体をセットトレイに押し付けて保持することができる。このため、セットトレイにセットされた媒体をセットトレイに四方向から保持することが可能となり、セットトレイに保持した後の媒体における皺の発生が効果的に抑制される。
【００２１】
本発明の第７の態様に係る枠体は、前記第１の態様から第６の態様のいずれか１つの態様において、前記可動部材の移動の際に使用可能な、つまみを備えることを特徴とする。
【００２２】
本態様によれば、ユーザーはつまみを持って容易に前記可動部材を移動させることができる。
【００２３】
本発明の第８の態様に係る媒体支持装置は、媒体をセットするセットトレイと、前記第１の態様から第７の態様のいずれか１つの態様の枠体と、を備えることを特徴とする。
【００２４】
本態様によれば、セットトレイと枠体とを備える媒体支持装置において、前記各態様の枠体と同様の作用効果が得られるようになる。
【００２５】
本発明の第９の態様に係る記録装置は、前記第８の態様の媒体支持装置と、前記媒体に記録を行う記録部と、を備えることを特徴とする。
【００２６】
本態様によれば、インクジェット記録装置等の記録装置において、前記態様の媒体支持装置と同様の作用効果が得られるようになる。
【図面の簡単な説明】
【００２７】
【図１】本発明の実施例１に係る記録装置の概略斜視図。
【図２】本発明の実施例１に係る記録装置の概略側面図。
【図３】本発明の媒体の一例を示す斜視図。
【図４】本発明の実施例１に係る記録装置の要部の概略斜視図。
【図５】本発明の実施例１に係る記録装置の要部の概略断面図。
【図６】本発明の実施例２に係る記録装置の要部の概略断面図。
【図７】本発明の実施例３に係る記録装置の要部の概略断面図。
【図８】本発明の実施例４に係る記録装置の要部の概略斜視図。
【発明を実施するための形態】
【００２８】
以下に、本発明の実施例に係る記録装置について、添付図面を参照して詳細に説明する。
【００２９】
下記の実施例では、いずれも、枠体及び枠体と媒体をセットするセットトレイとを備える媒体支持装置に関して、記録装置用のものを用いて説明している。しかし、本発明の枠体及び媒体支持装置は記録装置用のものに限定されるわけではない。また、記録装置として記録ヘッドからインクを吐出して記録を行うインクジェット記録装置を用いて説明している。しかし、本発明の記録装置はインクジェット記録装置に限定されるわけではない。
【００３０】
また、下記の実施例では、いずれも媒体として布帛であるＴシャツを用いて説明している。しかし、本発明で使用可能な媒体はＴシャツに限定されず、また布帛に限定されるわけでもない。
【００３１】
［実施例１］（図１−図５）
図１は、本発明の実施例１に係る記録装置の概略斜視図である。  
本実施例の記録装置１は、図１に示すように、媒体Ｐ（図３参照）をセットするセット面７を備えたセットトレイ４を備えている。搬送部３は、セット面７に沿う搬送方向Ａにセットトレイ４を移動することにより媒体Ｐを搬送する。セットトレイ４の下部には、媒体Ｐのセット面７からはみ出した部分を収容可能な収容トレイ８が備えられている。収容トレイ８には、記録装置１の内部を隠す板部材９が設けられている。
【００３２】
なお、本実施例のセットトレイ４は記録装置１と着脱可能である。このため、ユーザーは、記録装置１からセットトレイ４を取り外した状態で媒体Ｐをセットすることができる。そして、ユーザーは、記録装置１から取り外された状態又は装着された状態のセットトレイ４に媒体Ｐをセットする。その後、該セットトレイ４に枠体１２（図４参照）を嵌め、該セットトレイ４が前記取り外された状態である場合は該セットトレイ４を記録装置１に取り付け、記録を実行することができる。
【００３３】
装置本体２には、記録ヘッド６が備えられている。記録装置１は、キャリッジ５を介して搬送方向Ａと交差する走査方向Ｂに記録ヘッド６を往復移動させながら、記録ヘッド６から媒体Ｐにインクを吐出させて所望の画像を形成する。
【００３４】
図２は、本発明の実施例１に係る記録装置の概略側面図である。  
ユーザーは、支持機構１０に設けられた高さ調整レバー１１を回すことによりセットトレイ４のセット面７の高さを調整することができる。なお、セットトレイ４、支持機構１０、高さ調整レバー１１、収容トレイ８及び板部材９は搬送部３により一体的に搬送方向Ａに移動する。
【００３５】
図３は、本発明の媒体の一例を示す斜視図（Ａ）と、該媒体をセットトレイ４にセットした状態の斜視図（Ｂ）である。  
図３（Ａ）は本実施例の媒体ＰとしてのＴシャツである。この媒体Ｐを、図３（Ｂ）のように、セットトレイ４のセット面７にセットトレイ４の縁Ｅからはみ出してセットする。
【００３６】
図４は、本発明の実施例１に係る記録装置の要部である枠体１２の概略斜視図（Ａ）と、媒体Ｐをセットしたセットトレイ４に枠体１２を嵌めた状態の斜視図（Ｂ）である。なお、セットトレイ４と枠体１２とで本実施例の媒体支持装置は構成される。  
図４（Ａ）に示されるように、本実施例の枠体１２は、矩形のセットトレイ４に対応した矩形の基枠１３と、基枠１３の対向する二辺に設けられた一対の可動部材１４，１４とを備えている。可動部材１４は、基枠１３に不図示の接続機構により基枠１３の内外方向Ｃに移動可能に取り付けられている。また、可動部材１４は付勢部材としての捻りコイルバネ１５（図５参照）により基枠１３の内側方向Ｃ１に付勢されている。
【００３７】
図４（Ｂ）はセットトレイ４に枠体１２を嵌めた状態の斜視図である。本実施例の枠体１２は、セット面７側からセットトレイ４に嵌めることが可能である。ただし、本発明の枠体は本実施例の構成に限定されない。また、セットトレイ４と枠体１２とが回動可能に一部が接続していてもよい。  
本実施例の枠体１２は、セットトレイ４の縁Ｅ部分の媒体Ｐに、基枠１３の対向する二辺から、可動部材１４の先端部Ｔを押し付けることにより媒体Ｐをセットトレイ４に保持させている。なお、縁Ｅ部分は立ち上り部Ｅ１とその外側に延びる水平部Ｅ２とを有する段部を構成している（図５参照）。このように、可動部材１４を移動させることにより媒体Ｐをセットトレイ４に保持させる構成とすることで、セットトレイ４に対して比較的大きな基枠１３を使用することができる。このため、様々な厚さの媒体Ｐをセットトレイ４にセット可能になる。
【００３８】
なお、本実施例における可動部材１４は、セット面７に沿う方向に線接触でセットトレイ４にセットされた媒体Ｐと接触する構成となっている。このため、本実施例における可動部材１４は、点接触で接触する構成の可動部材１４よりも効果的にセットトレイ４にセットされた媒体Ｐの皺取り状態を維持することができる。ただし、本発明は本実施例の構成に限定されない。
【００３９】
本実施例の枠体１２は、可動部材１４を基枠１３の対向する二辺に設ける構成である。基枠１３の対向する二辺から可動部材１４を媒体Ｐに押し付けて媒体Ｐをセットトレイ４に保持できるので強固に保持することができる。  
ただし、本発明の枠体はこのような構成に限定されない。例えば、可動部材１４を基枠１３の一辺のみに設ける構成としてもよい。該構成の枠体において、基枠１３における可動部材１４を設けた一辺と対向する一辺に縁Ｅ部分の媒体Ｐを押し付け、この状態を維持して可動部材１４を縁Ｅ部分の媒体Ｐに押し付けることで、媒体Ｐをセットトレイ４に保持できる。
【００４０】
図５は、本発明の実施例１に係る記録装置の要部である枠体１２を拡大した概略断面図である。  
図５（Ａ）は、媒体Ｐがセットされたセットトレイ４に枠体１２を嵌めた際のセットトレイ４と枠体１２との位置関係を示す概略断面図である。可動部材１４の先端部Ｔは、可動部材１４の内外方向Ｃへの移動により、縁Ｅ部分の媒体Ｐに当接可能である。詳細には、セットトレイ４に枠体１２を嵌めると、基枠１３と水平部Ｅ２上の媒体Ｐとが当接し、可動部材１４の先端部Ｔと立ち上り部Ｅ１脇の媒体Ｐとが当接する。
【００４１】
図５（Ｂ）は、枠体１２の概略断面図である。可動部材１４は、基枠１３に対して付勢部材としての捻りコイルバネ１５により内側方向Ｃ１に付勢されている。捻りコイルバネ１５は、基枠１３と接合部１６ａを介して接合され、可動部材１４と接合部１６ｂを介して接合されている。  
なお、本実施例の枠体１２は、付勢部材として捻りコイルバネ１５を使用しているが、このような構成に限定されない。例えば、付勢部材として板バネや棒バネなどを使用することもできる。  
なお、本実施例の枠体１２は、基枠１３に対して可動部材１４を付勢部材により付勢させているが、本発明の枠体はこのような構成に限定されない。例えば、付勢部材を設けず、摩擦力により基枠に対して可動部材を停止可能な構成としてもよい。
【００４２】
［実施例２］（図６）
図６は、本発明の実施例２に係る記録装置の要部（枠体１２）を拡大した概略断面図である。なお、実施例１と共通する構成部材は同じ符号で示しており、詳細な説明は省略する。
【００４３】
本実施例の枠体１２は、ユーザーが可動部材１４を内外方向Ｃに容易に移動することができるように、可動部材１４につまみ１７が設けられている。本実施例の枠体１２は、可動部材１４の長手方向における中央部分につまみ１７が設けられていること以外は、実施例１の枠体１２と同じ構成である。  
なお、本実施例のつまみ１７は、可動部材１４の下部に設けられ、図中の奥方向（紙面に垂直な方向）に延びる板状の形状であるが、本発明はこのような構成に限定されない。
【００４４】
［実施例３］（図７）
図７は、本発明の実施例３に係る記録装置の要部（枠体１２）を拡大した概略断面図である。なお、実施例１と共通する構成部材は同じ符号で示しており、詳細な説明は省略する。
【００４５】
図７（Ａ）は、媒体Ｐがセットされたセットトレイ４に枠体１２を嵌める前のセットトレイ４と枠体１２との位置関係を示す概略断面図である。ユーザーは、図７（Ａ）のセットトレイ４に対する枠体１２の位置から、下側方向Ｆ１に枠体１２を押し付けることでセットトレイ４に枠体１２を嵌めることができる。
【００４６】
可動部材１４の先端部Ｔはテーパー形状になっている。別の表現をすると、セットトレイ４に枠体１２を嵌める際、可動部材１４にセットトレイ４から基枠１３の外側方向Ｃ２へ力が加わるように、基枠１３を嵌める際における可動部材１４の媒体Ｐとの接触面Ｓはセット面７に対して傾斜している。このため、下側方向Ｆ１に先端部Ｔがセットトレイ４の縁Ｅ部分の媒体Ｐに押し付けられると、可動部材１４は外側方向Ｃ２に力が加わり該方向に移動する。なお、本実施例の枠体１２は、先端部Ｔがテーパー形状になっていること以外は、実施例１の枠体１２と同じ構成である。
【００４７】
図７（Ｂ）は、媒体Ｐがセットされたセットトレイ４に枠体１２を嵌めた後のセットトレイ４と枠体１２との位置関係を示す概略断面図である。セットトレイ４に枠体１２を嵌めると、枠体１２に設けられた捻りコイルバネ１５によって内側方向Ｃ１に付勢力が働き、先端部Ｔが縁Ｅ部分の媒体Ｐに押し付けられる。
【００４８】
［実施例４］（図８）
図８は、本発明の実施例４に係る記録装置の要部である枠体１２の概略斜視図（Ａ）と、媒体Ｐをセットしたセットトレイ４に枠体１２を嵌めた状態の斜視図（Ｂ）である。  
図８（Ａ）に示されるように、本実施例の枠体１２は矩形の基枠１３の四辺に可動部材１４ａ及び１４ｂが設けられている。可動部材１４ａは、内外方向Ｃに移動可能であり、捻りコイルバネ１５により内側方向Ｃ１に付勢されている。また、可動部材１４ｂは、基枠１３の内外方向Ｄに移動可能であり、捻りコイルバネ１５により基枠１３の内側方向Ｄ１に付勢されている。  
なお、本実施例の枠体１２は、可動部材１４ａ及び１４ｂが基枠１３の四辺に設けられていること以外は、実施例１の枠体１２と同じ構成である。
【００４９】
図８（Ｂ）はセットトレイ４に枠体１２を嵌めた状態の斜視図である。本実施例の枠体１２は、セットトレイ４の縁Ｅ部分の媒体Ｐに、基枠１３の四辺から、枠体１２に設けられた可動部材１４ａ及び１４ｂの先端部Ｔを押し付けることにより媒体Ｐをセットトレイ４に保持させている。このように、基枠１３の四辺から先端部Ｔを押し付けることにより、実施例１の枠体１２よりもさらに強固に媒体Ｐをセットトレイ４に保持させることができる。また、実施例１の枠体１２と同様、可動部材１４を移動させることにより媒体Ｐをセットトレイ４に保持させる構成とすることで、セットトレイ４に対して比較的大きな基枠１３を使用することができる。このため、様々な厚さの媒体Ｐをセットトレイ４にセット可能になる。
【符号の説明】
【００５０】
１  記録装置、２  装置本体、３  搬送部、４  セットトレイ、５  キャリッジ、
６  記録ヘッド、７  セット面、８  収容トレイ、９  板部材、１０  支持機構、
１１  高さ調整レバー、１２  枠体、１３  基枠、１４  可動部材、
１４ａ  可動部材、１４ｂ  可動部材、１５  コイルバネ、１６ａ  接合部、
１６ｂ  接合部、１７  つまみ、Ｅ  セットトレイの縁、Ｐ  媒体、
Ｓ  可動部材の媒体との接触面、Ｔ  可動部材の先端部
【図１】
2014000778.tif 000003
【図２】
2014000778.tif 000004
【図３】
2014000778.tif 000005
【図４】
2014000778.tif 000006
【図５】
2014000778.tif 000007
【図６】
2014000778.tif 000008
【図７】
2014000778.tif 000009
【図８】
2014000778.tif 000010